(57)【要約】【課題】気化温度の相違から起こる気化ガスの不均一による燃焼不良を簡単な構成で防止した気化式石油燃焼装置を提供する。【解決手段】加熱用ヒ−タ１２を備え底部には混合ガスの流出口を有した気化器１と、該気化器１下部で流出口と連通した混合室と、該混合室上部で気化器１背面側に備えられたバ−ナ部とで構成され、気化器１を椀状に形成して立設し、燃料噴射ノズルと対向する中央部の２箇所を燃料を気化する平坦面８としたもので、前記気化器１の外周壁に備えられる加熱用ヒータ１２を平坦面８を境に左右対称に配置したので、温度ムラのない均一な気化ガスを生成出来、バーナ部での燃焼炎を均一で良好な燃焼が行え、常にバランスの取れた均一な燃焼を得ることが出来るものである。【選択図】  図３
2004340462.tif 000002
【特許請求の範囲】
【請求項１】
加熱用ヒ−タを備え底部には混合ガスの流出口を有した気化器と、該気化器下部で流出口と連通した混合室と、該混合室上部で気化器背面側に備えられたバ−ナ部とで構成され、気化器を椀状に形成して立設し、燃料噴射ノズルと対向する中央部の２箇所を燃料を気化する平坦面としたものに於いて、前記気化器の外周壁に備えられる加熱用ヒータを平坦面を境に左右対称に配置した事を特徴とする気化式石油燃焼装置。
【請求項２】
前記気化器の温度を検出する温度センサを左右中央に備えた事を特徴とする請求項１記載の気化式石油燃焼装置。
【発明の詳細な説明】
【０００１】
【産業上の利用分野】
この発明は暖房機や給湯機の燃焼部を構成する加熱用ヒ−タを備えた気化式の石油燃焼装置に関するものである。
【０００２】
【従来の技術】
従来よりこの種のものでは、横椀状に立設した気化器で、Ｕ字状の加熱用ヒータを、前方に突出した上側壁と下側壁とに備えることで、気化の促進を図り常に良好な燃焼を得るようにしたものであった。（例えば、特許文献１参照。）
【０００３】
【特許文献１】
特許３１５０５８４号
【０００４】
【発明が解決しようとする課題】
ところでこの従来のものでは、気化器内面の垂直気化面の２箇所に燃料噴射ノズルから燃料を噴射して気化させるので、加熱用ヒータが気化面の２箇所で左右対称に取り付けられていないので、気化面の温度が同一とならず気化される気化ガスが不均一となり、燃焼火炎もアンバランスとなって良好な燃焼が得られないと言う問題点を有するものであった。
【０００５】
又制御温度は低い温度部分に合わせる為に、無駄な電力を使用してしまい不経済であると言う問題点も有するものであった。
【０００６】
【問題点を解決するための手段】
この発明はこの点に着目し上記欠点を解決する為、特にその構成を、加熱用ヒ−タを備え底部には混合ガスの流出口を有した気化器と、該気化器下部で流出口と連通した混合室と、該混合室上部で気化器背面側に備えられたバ−ナ部とで構成され、気化器を椀状に形成して立設し、燃料噴射ノズルと対向する中央部の２箇所を燃料を気化する平坦面としたものに於いて、前記気化器の外周壁に備えられる加熱用ヒータを平坦面を境に左右対称に配置したものである。
【０００７】
これにより、気化器は左右対称形状で左右それぞれの気化面の温度は同一となり、気化される気化ガスは左右で均一となって、バランスの取れた燃焼炎での燃焼が行われ、常に良好な燃焼が得られるものであり、更に気化器の温度は同一であるから無駄な電力を消費する心配もないものである。
【０００８】
【発明の実施の形態】
次にこの発明に係る気化式石油燃焼装置を図面に示された一実施形態をもとに説明する。
１はアルミダイキャストから成る横椀状の気化器で、正面は燃料噴射ノズル２及び一次空気の噴出口３を備えた蓋体４で閉塞され、底部に仕切壁５で２つに仕切られた混合ガスの流出口６を形成している。
【０００９】
前記気化器１は燃料噴射ノズル２と対向する内面を、該燃料噴射ノズル２に対して垂直に形成し垂直気化面７とすると共に、燃油が吹き付けられる部分は該燃油の均一な拡散を計る為に平坦面８とし、更にこの平坦面８の周囲には長さの異なる複数個のビ−ド９を水平方向で且つそれぞれ平行に複数段配置して、流下する燃油の蛇行路１０を形成しているものである。
【００１０】
又上記平坦面８及び蛇行路１０は、燃料噴射ノズル２の噴射孔１１が左右に１つずつ形成されているので、これに対向して垂直気化面７上の中央部の左右にそれぞれ１つずつ設けられているものである。
【００１１】
１２は気化器１に釣り鐘形状に鋳込まれたシ−ズヒ−タから成る加熱用ヒ−タで、垂直気化面７から燃料噴射ノズル２側に突出した全周の突出壁１３に埋設され、上方に接続端子を出して平坦面８を境に左右対称形状とし、中央部の左右にそれぞれ形成された２の気化用の平坦面８に対する加熱用ヒータ１２の位置関係を同じくすることで、同一の温度状態に制御するものである。
【００１２】
１４はサーミスタ等から成る温度センサで、気化器１の上方突出壁１３の中央を貫通して備えられ、２つの平坦面８までの距離を同一として気化器１の温度が気化温度の所定温度に保持されるように加熱用ヒータ１２の通電を制御するものである。
【００１３】
１５は気化器１の蛇行路１０最終端に備えられた平面から見て台形の案内壁で、気化器１内で形成される気化ガスと燃焼用一次空気による混合ガスを、底部の２つの流出口６にスム−ズに分割して案内するものである。
【００１４】
１６は気化器１下部に備えられたアルミダイキャスト製の混合室で、流出口６に連通し混合ガスの整流を行うように１段下方に凹ませて大容量とした整流室１７と、該整流室１７に連通し先細状に区画成形された複数のガス室１８とで構成されている。
【００１５】
１９は混合室１６のガス室１８上で気化器１の背面側に形成されたバ−ナ部で、複数個の炎孔列と二次空気孔列とを交互に配置しているものである。
【００１６】
２０は気化器１背面からバ−ナ部１９上に突出した吸熱フィンで、燃焼ガスとの接触面積を多くしてヒ−トバック量を増大させる為に複数に分割形成され、燃焼時には燃焼熱のヒ−トバックを気化熱として利用し加熱用ヒ−タ１２の省電力化を計るものである。
【００１７】
２１はバ−ナ部１９の上方を囲った燃焼室で、外周は空気室２２を介してカバ−枠２３で覆われている。
【００１８】
２４は燃焼ファンで、風路２５を介して噴出口４と空気室２２に連通し、噴出口３には燃焼用の一次空気を供給し、空気室２２には気化器１側方を通り混合室１６下方からバ−ナ部１９へ供給される二次空気及び燃焼室２１を冷却する空気を供給するものである。
【００１９】
２６は燃料噴射ノズル２に送油管２７を介して燃油を供給する電磁ポンプ、２８は遮熱板である。
【００２０】
次にこの発明一実施形態の作動について説明する。
今加熱用ヒ−タ１２に通電し気化器１を所定温度まで加熱すれば、これを温度センサ１４で検知し、燃焼ファン２４及び電磁ポンプ２６を駆動させることで、気化器１には燃料噴射ノズル２から燃油が、又噴出口３からは燃焼用の一次空気がそれぞれ供給される。
【００２１】
そして気化器１では、燃料噴射ノズル２から噴射された２つに分かれた燃油は、垂直気化面７の２の平坦面８にそれぞれ衝突し凹凸がないので均一に周囲に拡散するが、直ぐには落下せず周囲のビ−ド９上を供給される一次空気の送風力もあって蛇行路１０に沿って順次移動し、十分な気化時間となって気化が促進されると共に、ビ−ド９による凹凸で供給される一次空気も乱流を起こし気化ガスとの混合も十分に行われ、良好な混合ガスを得ることが出来るものである。
【００２２】
従って、垂直気化面７によって軽量・コンパクトな気化器１を得て、小型で強力な燃焼装置が得られると共に、気化能力を低下させることなく常に十分な混合ガスを形成することが出来るものである。
【００２３】
又直接燃油の気化を行う２つの平坦面８は、気化器１の形状及び加熱用ヒータ１２の埋設が左右対称であるので、気化温度も同一となり同じ温度で気化されることで、温度ムラのない均一な気化ガスを生成出来、バーナ部１９での燃焼炎を均一で良好な燃焼が行え、常にバランスの取れた均一な燃焼を得ることが出来るものであり、更に温度センサ１４が気化器１の上方突出壁１３の中央で、且つ２つの平坦面８の中間の一番近い所に備えられているので、均一な気化温度を素早く検知出来、無駄な電力使用を阻止して経済的な運転が行われるものである。
【００２４】
尚、この一実施形態では、加熱用ヒータ１２の接続端子を上方へ出すよう鋳込んだが、これに限定されることなく、下方に出すようにして鋳込んでも同様な効果が得られるものである。
【００２５】
【発明の効果】
以上のようにこの発明によれば、直接燃油の気化を行う２つの平坦面は、気化器の形状及び加熱用ヒータの埋設が左右対称であるので、気化温度も同一となり同じ温度で気化されることで、温度ムラのない均一な気化ガスを生成出来、バーナ部での燃焼炎を均一で良好な燃焼が行え、常にバランスの取れた均一な燃焼を得ることが出来るものであり、更に温度センサが気化器の上方突出壁の中央で、且つ２つの平坦面の中間の一番近い所に備えられているので、均一な気化温度を素早く検知出来、無駄な電力使用を阻止して経済的な運転が行われるものである。
【図面の簡単な説明】
【図１】この発明一実施例を付した気化式石油燃焼装置の断面図。
【図２】同気化器の横断面図。
【図３】同気化器の縦断面図。
【符号の説明】
１  気化器
２  燃料噴射ノズル
６  流出口
７  垂直気化面
８  平坦面
１２  加熱用ヒ−タ
１３  突出壁
１４  温度センサ
１６  混合室
１９  バ−ナ部
【図１】
2004340462.tif 000003
【図２】
2004340462.tif 000004
【図３】
2004340462.tif 000005